(57)【要約】【課題】  外部光源と内部光源を設置することで、光線不足の環境においての使用上の利便性を向上し、化粧鏡及び携帯型懐中電灯機能を兼備した化粧鏡付き携帯型照明灯の提供。【解決手段】  主に、殼体、上蓋、回路板及び内蓋体等を含んで成り、そのうち、該殼体、内蓋体を閉じ合わせて収納ケースを形成し、該上蓋を該収納ケースの片側に軸支し、該上蓋内に鏡を嵌設し、該収納ケース内に電池座体及び外部光源が接続された回路板を設置し、且つ、該回路板の中間位置に少なくとも１つの内部光源を設け、さらに該収納ケースの内蓋体の対応する位置に透光片を設置した透光部を形成し、該電池座体に電池を入れ、該外、内部光源が必要とする電源を供給し、該外部光源を対外外照明として用いるか、或いは該内部光源に透光片を介して光線を発散させ、光線が不足する環境での化粧直しができる。【選択図】  図１
0003113566.tif 000002
【実用新案登録請求の範囲】
【請求項１】
少なくとも、殼体及び内蓋体を閉じ合わせて成り、そのうち、該内蓋体の中間部に透光部を設け、且つ、該透光部上に透光片を設けた収納ケースと、前述の収納ケースの片側に軸支され、その内部に鏡を嵌設した上蓋と、前述の収納ケース内に設置され、その両端に電池座体及び該収納ケースの外部に突出した外部光源をそれぞれ設けた回路板と、を含み、該回路板上に少なくとも１つの内部光源及び押圧スイッチを設置し、該内部光源は該内蓋体の透光部に対応し、該押圧スイッチが電池座体内に設置した電池を導通し、該外部光源及び内部光源が必要とする電源の供給を制御する、化粧鏡付き携帯型照明灯。
【請求項２】
前記上蓋の開口側中間位置に垂直に突起した鉤部を設け、該内蓋体上に対応して設けた通孔に該鉤部を穿通し、さらに該殼体上にあらかじめ設けた押しボタンの中央の凹み孔に嵌入し、該押しボタンを押すことにより凹み孔が位置移動して該上蓋の開閉を制御する、請求項１に記載の化粧鏡付き携帯型照明灯。
【請求項３】
前記押圧スイッチに押圧片を接続し、該押圧片を殼体外側に突出させた、請求項１に記載の化粧鏡付き携帯型照明灯。
【請求項４】
前記殼体及び内蓋体に、該回路板の内部光源の周縁に位置する前方凹み部をそれぞれ形成した、請求項１に記載の化粧鏡付き携帯型照明灯。
【請求項５】
前記殼体の該回路板の電池座体に対応する部位に開口部を設け、着脱自在の電池蓋で遮蔽した、請求項１に記載の化粧鏡付き携帯型照明灯。
【考案の詳細な説明】
【技術分野】
【０００１】
本考案は化粧鏡付き携帯型照明灯に関し、詳細には、化粧鏡と携帯型懐中電灯機能を兼ね備えた化粧鏡付き携帯型照明灯に関する。
【背景技術】
【０００２】
社会環境の変遷に伴い、人と人との相互交流も日益しに頻繁となり、人と人とが触れ合う場合には各種の社交儀礼が非常に重要であり、良好な社交儀礼は相手方に対する尊重を表すだけでなく、自らの身だしなみやセンスにおいても表現することができ、一般的な女性について言うと、適切な化粧直しは重要な社交儀礼の一つである。このため、多くの女性は正式な社交活動に出席するとき、化粧コンパクトを携帯し、必要時に備える必要がある。しかしながら、従来の化粧鏡付きコンパクトの構造は比較的簡易であり、化粧パウダー等の化粧コンパクトの蓋に化粧鏡を付属したものが一般的であるが、このような化粧鏡はコンパクトのデザインによりその外形が変化し、鏡面面積及び観視効果共に悪く、使用上の利便性に欠ける。
【０００３】
また別に、単独の収納ケースの内部に鏡を嵌置し、該収納ケース内には眉墨や口紅等の化粧品を収納できるものがあるが、このような化粧鏡の構造は、比較的大きい鏡面面積とより良い観視効果が得られるものの、実際に上述の化粧品を取り出して使用するときは、該化粧鏡を移動して観視位置を変動させる必要があり、使用上不便である。
【０００４】
さらに、上述の従来の化粧鏡は、そのものに照明装置が設けられておらず、光線が不足する環境においては該化粧鏡を使用することができず、これが全体の応用上の重要な欠点となっている。
【０００５】
上述のような従来の化粧鏡の欠点に鑑みて、本考案はこれら欠点を改善すべく研究を重ね、誕生したものである。
【考案の開示】
【考案が解決しようとする課題】
【０００６】
本考案の主な目的は、主に殼体、内蓋体を組み立てて成る収納ケースの片側に上蓋を軸支し、該収納ケース内に電池座体及び外部光源を連結する回路板を設置し、該電池座体に電池を組み込み該外部光源の照明に必要な電源を供給し、該上蓋内側に鏡を嵌置し、上述の部品を組み立てて成る化粧鏡及び携帯型懐中電灯機能を兼備した化粧鏡付き携帯型照明灯を提供することにある。
【０００７】
本考案の別の目的は、本考案の化粧鏡付き携帯型照明灯のうち、前記回路板上に少なくとも１つの内部光源を設置し、該収納ケースの内蓋体の対応する部位に透光部を設け、該透光部上にさらに透光片を被せてもよく、該内部光源の照明光線が該透光片を通過して外部へ向かって発散され簡易照明を形成し、光線不足の環境においての使用上の利便性を向上した化粧鏡付き携帯型照明灯を提供することにある。
【課題を解決するための手段】
【０００８】
本考案の化粧鏡付き携帯型照明灯は少なくとも、殼体及び内蓋体を閉じ合わせて成り、該内蓋体の中間部に透光部を設け、且つ、該透光部上に透光片を設けた収納ケースと、前述の収納ケースの片側に軸支され、その内部に鏡を嵌設した上蓋と、前述の収納ケース内に設置され、その両端に電池座体及び該収納ケースの外部に突出した外部光源をそれぞれ設けた回路板と、を含み、該回路板上に少なくとも１つの内部光源及び押圧スイッチを設置し、該内部光源は該内蓋体の透光部に対応し、該押圧スイッチが電池座体内に設置した電池を導通し、該外部光源及び内部光源が必要とする電源の供給を制御する。
【考案の効果】
【０００９】
本考案に係る化粧鏡付き携帯型照明灯は、以上のように、少なくとも、殼体及び内蓋体を閉じ合わせて成り、そのうち、該内蓋体の中間部に透光部を設け、且つ、該透光部上に透光片を設けた収納ケースと、前述の収納ケースの片側に軸支され、その内部に鏡を嵌設した上蓋と、前述の収納ケース内に設置され、その両端に電池座体及び該収納ケースの外部に突出した外部光源をそれぞれ設けた回路板と、を含み、該回路板上に少なくとも１つの内部光源及び押圧スイッチを設置し、該内部光源は該内蓋体の透光部に対応し、該押圧スイッチが電池座体内に設置した電池を導通し、該外部光源及び内部光源が必要とする電源の供給を制御している。
【００１０】
それゆえ、押圧スイッチにより、外部光源及び内部光源への電源の供給を制御することが可能となる。したがって、該外部光源を対外外照明として用いるか、或いは該内部光源に透光片を介して光線を発散させ、光線が不足する環境での化粧直しができる。
【考案を実施するための最良の形態】
【００１１】
本考案の詳細な構造、応用原理、作用及び効果について理解を深めるため、以下、図面に基づき詳細に説明する。
【００１２】
図１に本考案の構造を示す立体分解図を示す。図２に本考案の全体を組み立てた状態を示す立体透視図を示す。図３、図４に本考案の外観を示す立体斜視図をそれぞれ示す。これらの図から分かるように、本考案は主に殼体１、上蓋２、回路板３及び内蓋体４等の部分を含んでなり、そのうち、該殼体１周縁部の対面する２側辺上に複数の軸孔１１及び側面槽部１２をそれぞれ設け、該軸孔１１と側面槽部１２間に前方凹み部１５及び側面凹み部１３をそれぞれ設ける。さらに、該前方凹み部１５の反対側の該殼体１底部に開口部１４を設け、該開口部１４を電池蓋１４１で覆い遮蔽を形成する。該側面槽部１２に押しボタン１２１を嵌入して連結し、且つ、該押しボタン１２１の中央に凹み孔１２２を設け、該凹み孔１２２は押しボタン１２１の内側方向への押圧に伴い位置移動することができる。上蓋２は中央が窪んだ形状の蓋体であり、その片側に複数の軸部２１を設け、該軸部２１を前述の殼体１の軸孔１１内に伸入して軸支し、その反対側に鉤部２２を設け、蓋を閉じると前記押しボタン１２１の凹み孔１２２内に該鉤部２２が伸入し係止されて位置決めされる。さらに、該上蓋２中央の窪み部に鏡２３を貼り付けて設置する。該回路板３は殼体１内に設置され、その周縁部に外部光源３２、押圧スイッチ３４を該殼体１の前方凹み部１５、側面凹み部１３にそれぞれ対応させて設置し、該回路板３上にさらに電池座体３１と複数の内部光源３３を設ける。該内蓋体４は該回路板３上方に設置され、該殼体１と連結されると共に、その周縁部に前方凹み部４３及び通孔４１を該殼体１の前方凹み部１５及び側面槽部１２に対応させて設け、さらに、該内蓋体４上に該回路板３の内部光源３３に対応させて透光部４２を設置し、該透光部４２上に透光片４２１を設置する。
【００１３】
組み立て時には、該内蓋体４の前方凹み部４３と殼体１の前方凹み部１５を相互に連結させ、回路板３の外部光源３２周縁を囲んで開口した状態を形成し、該押圧スイッチ３４に押圧片３４１を接続し、該押圧片３４１が殼体１の外側に突出した状態とする。該電池蓋１４１は開口部１４上に着脱自在に設け、取り外して電池を該電池座体３１内に設置した後再度装着し、該電池が該外、内部光源３２、３３が必要とする電源を供給する。該上蓋２を該殼体１上に閉じ合わせ、該鉤部２２を内蓋体４の通孔４１に穿通し、該押しボタン１２１の凹み孔１２２内に嵌入して位置決めすると該上蓋２は開かなくなり、該押しボタン１２１を押すと凹み孔１２２が偏移して鉤部２２に対する引掛けが解除され、上蓋２を開くことができる。
【００１４】
図５は本考案の化粧鏡機能の実施状態を示す立体図である。該図に示すように、該上蓋２を開いた後、使用者は上蓋２内側の鏡２３で自らを観視することができ、必要に応じ化粧直し等を行うことができる。光線が不足している環境においては、該押圧片３４１を押して押圧スイッチ３４に各内部光源３３（小型発光ダイオード）の電源を導通させ、該内部光源３３の照明光線が透光片４２１を通過して外部に向かって発散され、簡易な照明を形成し、使用者がよりはっきりと鏡に自らを映して見ることができる。
【００１５】
図６は本考案の懐中電灯機能の実施状態を示す立体図である。該図に示すように、該上蓋２を殼体１上に閉じ合わせ、鏡２３を上蓋２、殼体１の間に収納し、該押圧片３４１を押して押圧スイッチ３４に外部光源３２（大型発光ダイオードまたは小型電球）の電源を導通させ、該外部光源３２の照明光線を外部に向かって発散し、対外局部照明を形成する。
【００１６】
上述から分かるように、本考案の化粧鏡付き携帯型照明灯は確実に化粧鏡と携帯型懐中電灯の機能を兼ね備えており、産業上の利用性、新規性及び進歩性を備えている。
【００１７】
以上で述べた説明は、本考案の最良の実施例に基づくものであり、本考案の実施の範囲を制限するものではなく、本考案の特許請求の範囲に基づくあらゆる変化や修飾も、すべて本考案の特許範囲に含まれるものとみなす。
【産業上の利用可能性】
【００１８】
本考案は、内部光源と外部光源とを備えているので、光線不足の環境で使用する化粧鏡に適用できる。
【図面の簡単な説明】
【００１９】
【図１】本考案の立体分解図である。
【図２】本考案の立体透視図である。
【図３】本考案の上蓋を開いた状態を示す立体外観斜視図である。
【図４】本考案の上蓋を閉じた状態を示す立体外観斜視図である。
【図５】本考案の化粧鏡機能の実施状態を示す立体図である。
【図６】本考案の懐中電灯機能の実施状態を示す立体図である。
【符号の説明】
【００２０】
１          殼体
２          上蓋
３          回路板
４          内蓋体
１１        軸孔
１２        側面槽部
１３        側面凹み部
１４        開口部
１５、４３  前方凹み部
２１        軸部
２２        鉤部
２３        鏡
３１        電池座体
３２        外部光源
３３        内部光源
３４        押圧スイッチ
４１        通孔
４２        透光部
１２１      押しボタン
１２２      凹み孔
１４１      電池蓋
３４１      押圧片
４２１      透光片
【図１】
0003113566.tif 000003
【図２】
0003113566.tif 000004
【図３】
0003113566.tif 000005
【図４】
0003113566.tif 000006
【図５】
0003113566.tif 000007
【図６】
0003113566.tif 000008